(57)【要約】【課題】  単体でもパーゴラとしての完結した機能を有し、基本設計後に変更を加える必要が生じたような場合でも、改めて構造計算等を行う必要がなく、簡単に対応することができるパーゴラユニット、及び、このパーゴラユニットを用いて構成したパーゴラを提供することを目的とする。【解決手段】  本発明のパーゴラユニット１は、一本の柱２と、一つの棚部３とによって構成され、棚部３の全荷重が一本の柱２のみによって支持される構造となっており、棚部３が、中央の接続部分から外側へ向かって放射状に延在するように配置された複数本の横木４と、それらの各横木４間に張設されたワイヤー５とによって構成されていることを特徴とし、本発明のパーゴラは、パーゴラユニット１を複数並列して構成したことを特徴とする。【選択図】  図１
2006052613.tif 000002
【特許請求の範囲】
【請求項１】
一本の柱と、一つの棚部とによって構成され、
前記棚部の全荷重が、前記一本の柱のみによって支持される構造となっていることを特徴とするパーゴラユニット。
【請求項２】
前記棚部が、複数本の横木と、それらの各横木間に張設されたワイヤーとによって構成されていることを特徴とする、請求項１に記載のパーゴラユニット。
【請求項３】
前記棚部は、複数本の横木が、中央の接続部分から外側へ向かって放射状に延在するように構成されていることを特徴とする、請求項１又は請求項２に記載のパーゴラユニット。
【請求項４】
前記横木及び／又は柱が、木粉を混入してなる合成樹脂成形物によって構成されていることを特徴とする、請求項１〜３のいずれかに記載のパーゴラユニット。
【請求項５】
請求項１〜４のいずれかに記載のパーゴラユニットを複数用意し、それらを並列して構成したことを特徴とするパーゴラ。
【発明の詳細な説明】
【技術分野】
【０００１】
本発明は、規則的に並べて配置することによって、従来と同等の機能を有するパーゴラを簡単に構築できるとともに、単体でもパーゴラとしての完結した機能を有するパーゴラユニット、及び、このパーゴラユニットを用いて構成したパーゴラに関する。
【背景技術】
【０００２】
パーゴラとは、植物による緑陰を作る目的で屋外（庭や公園など）に設置される構造物であり、一般的には、植物が絡み付きやすいように、材料を格子状に組んで構成した「棚」が上方において支持されるような構造となっている。
【０００３】
図７は、従来の典型的なパーゴラ３１（二連）の斜視図である。図示されているようにこのパーゴラ３１は、梁３３（３３ａ，３３ｂ）と桟木３４からなる格子状の棚部が、六本の柱３２（３２ａ〜３２ｆ）によって支持される構造となっている。尚、柱３２の下端部は、地中に予め埋設しておいたコンクリート製の基礎（図示せず）等の上に固定されている。
【発明の開示】
【発明が解決しようとする課題】
【０００４】
図７に示すようなパーゴラ３１を設置しようとする場合、一般的には、希望サイズ、希望面積等の情報に基づいて基本設計を行い、構造計算、積算を行って、材料の選択・決定、安全性の確認等が行われる。尚、パーゴラ３１のサイズは、桁行き方向の寸法Ａ、及び、奥行き方向の寸法Ｂ（図７参照）によって特定される。
【０００５】
ところで、この種の構造物の施工を行う場合、最初の設計通りに工事が進められることは希で、最初の設計案に対して様々な変更が加えられることが多い。このような場合、変更後の仕様について再度構造計算等をやり直す必要が生じる。例えば、図７に示したパーゴラ３１について、桁行き方向の寸法Ａを大きくしようとする場合、中央の二本の柱３２ｃ，３２ｄに、より大きな荷重がかかることになるため、基礎や柱３２ｃ，３２ｄの強度確認を行う必要があり、また、奥行き方向の寸法Ｂを大きくしようとする場合、図７において破線で示すような中央梁３３ｃの設置が必要になる可能性がある。
【０００６】
このように従来のパーゴラは、設計の途中でサイズを変更しようとする場合には、構造計算、積算等をその都度やり直さなければならないという問題がある。また、梁３３と桟木３４からなる格子状の棚部を柱３２で支持するような構成とする場合、最低でも（最小単位とした場合でも）複数本の柱が必要となるほか、コストを抑えるためには棚部の平面形状が矩形状となるような設計とせざるを得ず（例えば、平面形状が異形となるような設計とすると、材料コスト、施工コストが高騰してしまうことになる。）、配置やサイズの自由度が低いという問題がある。更に、パーゴラ以外の機能を併せ持つような構造物へと展開することも難しいという問題がある。
【０００７】
本発明は、上記のような従来技術の問題を解決すべくなされたものであって、単体でもパーゴラとしての完結した機能を有し、基本設計後に変更を加える必要が生じたような場合でも、改めて構造計算等を行う必要がなく、簡単に対応することができるパーゴラユニット、及び、パーゴラを提供することを目的とする。
【課題を解決するための手段】
【０００８】
本発明のパーゴラユニットは、一本の柱と、一つの棚部とによって構成され、当該棚部の全荷重が、一本の柱のみによって支持される構造となっていることを特徴としている。尚、棚部は、複数本の横木と、それらの各横木間に張設されたワイヤーとによって構成することが好ましい。
【０００９】
また、複数本の横木が、中央の接続部分から外側へ向かって放射状に延在するように棚部を構成した場合、一本の柱によって安定して支持することができるという効果を期待できる。尚、横木は、強度や重量の点で支障のない範囲であれば、木材、金属、ガラス、セラミックス、或いは、合成樹脂等、どのような材料によって構成しても良いが、木粉を混入してなる合成樹脂成形物によって構成した場合には、軽量でありながら十分な強度と耐久性を確保するとともに、マテリアルリサイクルによる材料の再利用をすることができ、環境負荷の低減という効果を期待できる。
【発明の効果】
【００１０】
本発明のパーゴラユニットは、複数のユニットを規則的に並べることによって従来と同等の機能を有するパーゴラを構築することができる。また、このパーゴラユニットは、単体でもパーゴラとしての完結した機能を有しているため、複数のユニットを組み合わせて用いるだけでなく、一つだけ設置して、これを一つのパーゴラとして使用することもできる。
【００１１】
また、本発明のパーゴラユニットを用いれば、従来法と比べて施工時の手間を大幅に省くことができ、所要時間を短縮し、施工コストも大いに縮減することができる。より具体的には、従来のパーゴラは、まず複数本の柱を立設し、それらの上に梁を渡しかけ、更に、その上に桟木を連結するという作業が必要であったが、本発明のパーゴラユニットを用いる場合、立設した一本の柱の上に一つの棚部を取り付けて固定する、という単純な作業のみで施工を完了させることができる。
【００１２】
更に、従来のパーゴラは、棚部の平面形状が矩形のものが殆どであったが、本発明のパーゴラユニットは、配置方法やサイズの自由度が高く、このため様々な形状のパーゴラを簡単に構築することができる。例えば、敷地形状（高さ等）に合わせた変形配置や、回廊、遊歩道に沿った不規則、長距離配置や、植栽、河川・湖沼の水際線に合わせたＲ型配置などが可能である。しかも、それらを低コストで構築することができ、経済性に優れている。
【００１３】
また、基本設計後に変更を加える必要が生じたような場合でも、簡単に対応することができる。具体的には、桁行き方向或いは奥行き方向の寸法を大きくしようとする場合には、その延長しようとする領域に、必要な数だけパーゴラユニットを追加すれば足り、この場合、改めて構造計算等を行う必要はない。
【００１４】
また、複数のユニットを組み合わせて使用した場合でも、各パーゴラユニットは基本的には相互に独立しているため、メンテナンスが容易であるという利点がある。更に、棚部の構造、或いは、柱の下部構造を工夫することによって、様々な機能を付加することができ、単なるパーゴラから多機能の構造物へと展開することが可能である。
【発明を実施するための最良の形態】
【００１５】
以下、添付図面に沿って本発明を実施するための最良の形態について説明する。図１は、本発明に係るパーゴラユニット１の斜視図であり、図示されているようにこのパーゴラユニット１は、一本の柱２と、棚部３とによって構成されている。また、本実施形態においては、棚部３は、四本の横木４（４ａ〜４ｄ）と、二本のワイヤー５（５ａ，５ｂ）とによって構成されている。
【００１６】
横木４ａ〜４ｄは、いずれも同一形状、かつ、同一の大きさに寸法設定されており、平面形状が十字型となるようにそれぞれの端部が突き合わせられて固定されている。つまり、棚部３の中心部３ａから外側へ向かって放射状に延在するように横木４ａ〜４ｄが組み合わせられており、このため各横木４の接続部分である中心部３ａが、棚部３の重心位置となる。
【００１７】
そして棚部３は、その中心部３ａ（横木４の接続部分）が柱２の上端部の上に載置され、固定されるようになっている。従って、柱２には、棚部３の全荷重がかかることになるが、この中心部３ａは棚部３の重心位置であるため、一本の柱２のみであっても安定的に支持させることができる。
【００１８】
尚、図示されているように、ワイヤー５ａ，５ｂは、横木４ａ〜４ｄの各上面においてそれぞれ係止され、平面形状が矩形となるように張設されている。また本実施形態においては、柱２の下端部は、予め地中に埋設しておいたコンクリート製の基礎（図示せず）の上に固定されている。
【００１９】
このパーゴラユニット１は、単体でもパーゴラとしての完結した機能を有しているため、一つだけ設置して、これを一つのパーゴラとして使用することもできる。また、このパーゴラユニット１を複数用意し、それらを規則的に並べることによって、従来と同等の機能を有するパーゴラを簡単に構築することができ（図２（１）参照）、更に、配置方法やサイズの自由度が高いため、例えば、図２（２）（３）、図３（１）（２）に示すような様々な形状のパーゴラを構築することができる。
【００２０】
また、公園等の入口において、図４に示すように二つのパーゴラユニット１を並列した場合には、単なるパーゴラとしてのみならず、公園等のゲートとしての機能を付加することができる。更に、柱２の下部構造を工夫することにより、例えば図５に示すように、比較的低い位置に腰掛け部６を取り付けたり、図６に示すように、バー７を取り付けることにより、ベンチとしての機能や、フェンスとしての機能などを付加することができる。
【図面の簡単な説明】
【００２１】
【図１】本発明の第１の実施形態に係るパーゴラユニット１の斜視図。
【図２】図１のパーゴラユニット１の配置例を示す平面図。
【図３】図１のパーゴラユニット１の配置例を示す平面図。
【図４】図１のパーゴラユニット１の構成例を示す斜視図。
【図５】ベンチとしての機能を付加したパーゴラユニット１の構成例を示す斜視図。
【図６】フェンスとしての機能を付加したパーゴラユニット１の構成例を示す斜視図。
【図７】従来のパーゴラ３１の斜視図。
【符号の説明】
【００２２】
１：パーゴラユニット、
２：柱、
３：棚部、
３ａ：中心部、
４，４ａ〜４ｄ：横木、
５，５ａ，５ｂ：ワイヤー、
６：腰掛け部、
７：バー、
３１：パーゴラ、
３２，３２ａ〜３２ｆ：柱、
３３，３３ａ，３３ｂ：梁、
３３ｃ：中央梁、
３４：桟木
【図１】
2006052613.tif 000003
【図２】
2006052613.tif 000004
【図３】
2006052613.tif 000005
【図４】
2006052613.tif 000006
【図５】
2006052613.tif 000007
【図６】
2006052613.tif 000008
【図７】
2006052613.tif 000009